(57)【要約】      （修正有）【課題】複数の連結トンボの先頭が、支柱に止まった状態で、周辺の僅かな風によっても動き、逆に、かなりの風によっても安定を保ちながら揺れ動くという玩具を提供する。【解決手段】連結された先頭のトンボ１の眼下部に円形又は角型の輪や板状の錘２、例えば、比重の大きい鉄等のカラーリングを取り付け、尾方向の均衡のとれる、足に見立てた部分に支軸３ａを設け、支柱上端の凹部７に止まらせると、前後左右の釣り合いを保ちながら、僅かな風でも動き、かなりの風に対しても落下せずに揺れ動く。【選択図】図２
0003143566.tif 000002
【実用新案登録請求の範囲】
【請求項１】
図２のように先頭のトンボ１ａの尾に別のトンボ１ｂが止まり、そのトンボ１ｂの尾にまた、別のトンボ１ｃが止まるという風に階段状に連結された複数トンボの、先頭トンボ１の眼下部に円形または、角型の輪及び板状の錘が取り付けられ、尾方向の均衡がとれる位置に支軸３ａが設けられた構造の釣り合い連結トンボ。
【請求項２】
図２のように被覆付金属線５ｂと被覆５ａを少しずらして、下端の金属線部分に台座６を取り付け、上端の中空化した凹部７に連結トンボ支軸を止まらせるようにした脱落防止構造の支柱。
【考案の詳細な説明】
【技術分野】
【０００１】本案は、複数のトンボを連結させ、先頭のトンボを支柱先端に止まらせると、釣り合って、風で揺れ動く玩具に関するものである。
【背景技術】
【０００２】  従来、登録番号，第３０３５１５６号に公開されている水平に止まれるトンボ玩具は、竹を素材にしたもので、トンボの口元を支柱先端に止まらせ、羽根先端部重力によって釣り合いが保たれ、風によって揺れ動く。
【考案の開示】
【考案が解決しょうとする課題】
【０００３】  前記の水平に止まれるトンボ玩具は、自然の竹を素材としたもので、渋い味わいはあるが、前後左右のバランスをとる手段として、羽根先端部を頭部より前方且つ下方向に垂れ下げる事が絶対条件となっているため、例えば、図２のように羽根を上向きにしたり、水平にするなどの形状にすることは、不可能であり、また、複数のトンボを連結させて先頭のトンボで釣り合わせるというような事は極めて困難であった。もし実施するとすれば、羽根を極端に長く、または、重くする必要があるため、形状は極めて不格好になってしまうからである。従って、釣り合いトンボは単体に限定され、形状も単調で限定的となり、華やかさや、美しさに欠けるものであり、強めの風や振動で脱落するという欠点もあった。更に製作の大半が高度な加工技術を要する手作業となるため、大量製作が困難であった。
【問題を解決するための手段】
【０００４】  図１のように紙及びプラスチック等、軽い素材で形成された複数のトンボ１ａ，１ｂ等を階段状に連結させ、先頭トンボの眼下部に円形または角型の輪、及び板状の比重の大きい材質の錘２、例えば図１のような装飾的リングを取り付け、その重量と尾方向重量の釣り合う点に支軸３ａを取り付け、その支軸３ａを、支柱上端の凹部７に入れて載せると、前後左右のバランスがとれて僅かな風でも前後左右に揺れ動き，かなりの風や振動でも脱落することのない釣り合い連結トンボが実現化する。
【考案の効果】
【０００５】本案のトンボ本体の素材は紙、又はプラスチック等の軽い素材であるから、僅かな風でも揺れ動くし、かなりの風に対しても支柱先端の凹部７の囲いによって落下することはない。また、豊富な彩色と様々な形状の作成が容易に行える。例えば、２匹の連結トンボは夫婦または恋人同士、３匹以上の連結トンボは家族連れに見立てるなど、身近な親近感の持てるものを表現できる。また支軸前後の大きな距離差によって不安定そうに見えながら、安定して揺れ動く意外性が印象的であるし、先頭のトンボ眼下部に取り付けた錘２も、元来のバランス保持という目的とはかけ離れて、装身具として、全体のデザイン向上に繋がる上、この錘２を円盤や短冊状にして観光地名や企業名，又は、幸せトンボ、夢トンボ等の様々な言葉を、絵文字等にして書き入れても良く似合う。従って、土産物用として、また企業宣伝用のマスコット玩具としても活用できる。
【実施例】
【０００６】  図１のトンボ体１ａ，１ｂ，１ｃは基本的には、表裏同色同模様とし、素材を紙とした場合で説明すると、図４、のように３匹を一体化して印刷されたトンボ型素材を、打ち抜き形成されたものが、図３のトンボであり、このトンボ裏の中央線上に添わせた直径約０，５ｍｍの針金３を、頭部方向の約４ｍｍを残し、トンボと同色の薄紙４で糊付け固定した後、当該糊つけしていない針金先端部の４ｍｍ部分を下方向に直角に曲げ、これを連結トンボの支軸３ａとする。そして当該支軸から錘２までの間、針金が途切れるので、その代替えとして厚さ約１ｍｍのトンボと同色の厚紙９を貼り付け強度補強した後、図２のように折り曲げて階段状の連結トンボにする。【０００７】  バランスをとるための錘２については、円形、または角型の輪や板とし、比重が大きく、安価な鉄などの材料が適切である。トンボ本体への取り付けは、例えば、図２のように直接、速乾性接着剤で固定させるのが簡単であり、十分な接着強度を得る事もできる。【０００８】  連結トンボを止まらせる支柱５の実施例としては、プラスチック系カラー被覆付きの直径２ｍｍ程度の金属線５ｂと被服５ａが接着されていないものを用い、図５のように金属線５ｂ先端部を平にし，被覆５ａより約３ｍｍ中へずらす。台座６については、例えば、図９の様に市販の鉄製のメッキ座金６ｂに厚めの上質紙６ａを貼り合わせ、紙の中央部に穴を開けて、金属線５ｂの下部を差し込み、逆向きにして、速乾性接着剤を微量塗布し、塗布部分に耳かき一杯程度の砥粉を撒くと一瞬に固化し、接着力も増強する。これで支柱５は完成で、その支柱上部の凹部７に連結トンボ１ａの支軸３ａを入れて載せると被覆の円筒囲いによって、かなりの風に対しても落下することなく揺れ動く。また車中など不安定な場所に置く場合などは、台座に円形の厚紙またはプラスチックを用い、その裏側に両面接着テープを用いて固定できる。これで基本的には、連結トンボの組み立ては完了である。【０００９】  次に羽根について述べると、そのままの水平でも良いが、下向きにしたり、図２のような上向きにしても趣があって面白い。また針金３の曲げ角度についても尾を大きく曲げて段差を大きくすると、躍動感が出るし、横曲げにすると表情にコミックな味が出て面白い。そして、連結トンボと支柱の角度についても約９０度の水平を基本とするが、１３０度程度まで大きくする事が可能であり、この１３０度の場合、獲物を狙って急降下しているような攻撃的な印象となる。また、青や緑系と赤色系を組み合わせた２匹の連結トンボは、夫婦または恋人同士を表現できるし、３匹目や４匹目のトンボを小さくして連結させると、親子トンボが表現できる。また特に要望がある場合は、賑やかに１０匹ほど連結させることも可能である【００１０】  尚、錘の種類やトンボの形状，またはトンボ数によって重心位置は、みな異なるため、その位置決めは、不慣れな製作者にとっては、至難の技であるが、図４のトンボに描かれた白色の三角，菱形印の頂点は折り曲げ位置と支軸位置を示したものであり、当図４は、具体的にはトンボ素材が約１２０ｇ／ｍ２の紙で、錘のリングは内径２２ｍｍ、重量５ｇの場合の表示であり、それぞれ錘の形状や組み合わせ毎に��位置表示すれば効率的に製作できる。尚、当該表示は、三角，菱形のようにトンボに良く似合う形であればどんなものでも良い。【００１１】  錘に観光地やタイトル等の文字を入れる場合、字数の少ないものは円盤に横書きし、字数の多い場合は、楕円や短冊状の縦長金属板に紙を張り合わせ、縦書きの文字にする等の使い分けをするが、羽根を上向きにする場合や、連結するトンボ数が３匹を超える場合は、楕円または短冊等の縦長板状のものがバランス効果が大きいので適切である。逆に鎖のように折れ曲がるものや、単にぶら下げるだけというのは、特に左右のバランス効果が小さいので適切でない。尚、トンボとリング等の大きさ比率は、実物写真を模写した図１の程度となる
【産業上の利用可能性】
【００１２】本案の連結トンボを産業利用という見地で考えた場合、一つ目のセールスポイントは、素材が安価な紙、鉄等を使用できる上、汎用機器類を利用して安価に大量製作できる。という事である。【００１３】  二つ目のセールスポイントは、支軸前後の大きな距離差によって、いかにも不安定そうに見えながら、安定して揺れ動く意外性のある動きと、外観の可愛さや美しさである。【００１４】  三つ目のセールスポイントは、連結数や形、色を変えて夫婦や恋人同士、または子ども連れの家族が表現されるから、親近感を持って貰える対象層が広いということである。【００１５】  四つ目のセールスポイントは、先頭トンボが咥えているように見える円板や短冊状等の錘に観光地、行楽地名等や夢トンボ、幸とんぼ等，様々な文字が表示できるし、野球ボールのような絵である場合は、例えば、トンボ体を虎縞模様にする等で特定のものを表現することが出来る。以上を勘案すると、観光、行楽、または日常的買い物客等の幅広い層を対象とした土産物、または商品として利用できる可能性がある。
【図面の簡単な説明】
【００１６】
【図１】釣り合い連結トンボの実物写真を模写した斜視図である。
【図２】釣り合い連結トンボ正面の一部断面図である。
【図３】３匹一体のトンボ素材に針金を薄紙で糊付けした状態を示す裏側平面図である。
【図４】Ａ３用紙に打ち抜き加工が可能な状態に配置して描かれた５組の３匹一体トンボの平面図である。
【符号の説明】
【００１７】  １ａ  連結された先頭のトンボ
１ｂ，連結された２匹目のトンボ
１ｃ  連結された３匹目のトンボ
２    錘
３    連結トンボの補強兼折り曲げ用針金
３ａ  支軸
４    針金貼付け用の同色薄紙
５    支柱
５ａ  支柱用金属線のプラスチック被覆
５ｂ  支柱用金属線
６    台座
６ａ  台座の厚紙
６ｂ  台座の座金
７    凹部
８    補強用の厚紙
【図１】
0003143566.tif 000003
【図２】
0003143566.tif 000004
【図３】
0003143566.tif 000005
【図４】
0003143566.tif 000006
【手続補正書】
【提出日】平成20年4月23日(2008.4.23)
【手続補正１】
【補正対象書類名】実用新案登録請求の範囲
【補正対象項目名】全文
【補正方法】変更
【補正の内容】
【実用新案登録請求の範囲】
【請求項１】
比重の小さい素材を用いてトンボ形状に形成されたトンボ（１ａ）の尾に二匹目のトンボ（１ｂ）が止まり、更に当該トンボの尾に、三匹目のトンボ（１ｃ）が止まるという具合に、複数のトンボが階段状に連結され、先頭のトンボ（１ａ）眼下部に、円形又は、角型の輪及び板状の装飾的且つ比重の大きい金属製の錘を固着させ、該錘の重量と尾方向重量の釣り合う重心に取り付けた支軸（３ａ）を、被覆付金属線を素材とする支柱上端の脱落防止用凹状部に乗せると、釣り合いを保ちながら、風で揺れ動くようにしたことを特徴とする釣り合い連結トンボ。